(57)【特許請求の範囲】
【請求項１】
非電気式または電気式な起爆によって水線上及び水線下において遠隔発火装置を使用するための海洋浮揚装置であって、
ａ）衝撃チューブを介してそれぞれの爆発手段に接続可能な少なくとも２の受信機の組を有する受信機ハウジングであって、第１の受信機は分離のための時間遅延起爆に適合し、第２の受信機は当該海洋浮揚装置に必要とされる作動能力を満たすために遠隔起爆に適合する受信機ハウジングと、
ｂ）受信機ハウジングに接続され、解放可能なバスケットハウジングと、
ｃ）２つのハウジングを一体に保持する保持手段と、
ｄ）時間遅延起爆用の受信機から開始される爆発手段による起爆時に受信機ハウジングをバスケットハウジングから分離することを可能にするように、保持手段を非活性化する分離手段と、
ｅ）バスケットハウジング内に位置され得る衝撃チューブスプールであって、所望する標準動作手順に適合して当該海洋浮揚装置が展開する柔軟性を有するように第２の受信機を爆発手段に接続可能に所定長さの衝撃チューブを収容して含むスプール、及び／または、
ｆ）受信機ハウジングがバスケットハウジングから分離されると、受信機ハウジングが水面に浮くことができるように、受信機ハウジングに取り付け可能なフロートとを備え、
当該海洋浮揚装置の信頼性に影響を及ぼす水が侵入せずに、水深下の水の下に配備され動作することが可能な特性を有する衝撃チューブの非電気式または電気式な起爆が可能な海洋浮揚装置。
【請求項２】
受信機ハウジングは、腐食及び磁気感応を最小限に抑制する材料からなる、請求項１に記載の海洋浮揚装置。
【請求項３】
前記材料は、アセタール、ステンレス鋼及びポリカーボネート部品の組み合わせである、請求項２に記載の海洋浮揚装置。
【請求項４】
バスケットハウジングは、最大５００ｍの長さの衝撃チューブをスプールに保持することが可能であり、当該海洋浮揚装置は、水面から深さ４００ｍまでの範囲内にて動作可能であり、当該海洋浮揚装置の２つのハウジングが分離すると、当該２つのハウジングの間に張り渡しと緩みをもたらす、請求項１から３の何れか１項に記載の海洋浮揚装置。
【請求項５】
受信機ハウジングは、バスケットハウジングに取り付けられた顎受け手段と協働して係合する下方に垂下するエジェクタアームに旋回可能に取り付けられ、エジェクタアームはクランプ動作で保持される、受信機ハウジングとバスケットハウジングとを解放可能に固定するように、保持手段によって顎受け手段と係合する、請求項１から４の何れか１項に記載の海洋浮揚装置。
【請求項６】
顎受け手段は保持突起であり、保持突起は、２つのハウジングが互いに分離することを可能にする分離手段によって、保持手段の非作動時にエジェクタアームの解放及び開放を補助するための傾斜面を含む、請求項５に記載の海洋浮揚装置。
【請求項７】
受信機ハウジングは、当該受信機ハウジング内の受信機のボタン操作を可能にするＲＲｘ作動プッシュボタンを備えた蓋を有する、請求項１から６の何れか１項に記載の海洋浮揚装置。
【請求項８】
蓋は、アンテナが必要ない場合に、アンテナまたは水密キャップを収容するように適合された開口部を有する、請求項７に記載の海洋浮揚装置。
【請求項９】
蓋は、ロッキングコードによってハウジングに固定され、ロッキングコードは、ロッキングチャネルを介してハウジングに嵌合される、請求項８に記載の海洋浮揚装置。
【請求項１０】
受信機ハウジングは、２つのディスプレイ窓と２つの受信機ボタンとを有し、受信機ディスプレイが視覚的に検査され、受信機ディスプレイ内のハウジング内に嵌合された受信機を動作させる外部アクセスが可能である、請求項１から９の何れか１項に記載の海洋浮揚装置。
【請求項１１】
受信機ハウジングは、間隔を置いて配置され、つなぎ留め式のステンレス鋼製の発火ばねを備え、下方に垂れ下がって一体化された少なくとも２本の脚部を有し、脚部は、受信機ハウジングがバスケットハウジングに接続されているとき、一直線上に位置し、バスケットハウジングの頂部と接触し、受信機ハウジングがバスケットハウジングに接続されているとき、つなぎ留め式のばねは、荷重を受けて圧縮され、分離手段の動作によってバスケットハウジングから受信機ハウジングを分離するための発射力を与えるように構成されている、請求項１から１０の何れか１項に記載の海洋浮揚装置。
【請求項１２】
等間隔に配置され、下方に垂れ下がって一体化された脚部が４本存在する、請求項１１に記載の海洋浮揚装置。
【請求項１３】
分離手段は、保持手段を不活性化するように受信機ハウジングを通るように適合された切断ブレードを有するブレードアセンブリを含み、ブレードアセンブリは、受信機ハウジング内に収容され、受信機ハウジング内にて分離起爆チャンバに接続され、分離起爆チャンバは、内部に時間遅延受信機に対する爆発手段を含み、時間遅延受信機に作動させる際、爆発手段は起爆して切断ブレードを切断して保持手段を不活性化させて、エジェクタアームを解放させ、脚部上のつなぎ留め式のばねをバスケットハウジングから分離させる力を減少させる、請求項１から１２の何れか１項に記載の海洋浮揚装置。
【請求項１４】
２つのハウジングを解放可能に保持する保持手段は、バスケットハウジング上の脚部に対するクランプ位置にエジェクタアームを保持するように、エジェクタアームに固定可能な細長い部材を含み、細長い部材は、脚部からエジェクタアームを解放する補助するために、切断ブレードによって切断されるように構成されている、請求項１３に記載の海洋浮揚装置。
【請求項１５】
細長い部材は、切断可能に構成されたタイ、コード、ワイヤ、糸、リンク、ストランド、ライン、バンド、ケーブルまたはツインである、請求項１４に記載の海洋浮揚装置。
【請求項１６】
エジェクタアームをラグにしっかりと締め付けるように細長い部材に張力がかけられている、請求項１５に記載の海洋浮揚装置。
【請求項１７】
細長い部材はバネ付勢のストラップである、請求項１６に記載の海洋浮揚装置。
【請求項１８】
スプールを備える場合、受信機ハウジングは、グランドプレートと、受信機ハウジングの下面に設けられたグランドとを有し、グランドプレート及びグランドは、スプールから受信機ハウジング内に入るように衝撃チューブの接続が可能となるように適合され、受信機ハウジングの内側の衝撃チューブと受信機ハウジングの外側の衝撃チューブとの間の緊張緩和及び水密封止をもたらすために、グランドプレートはグランドを収容する、請求項１から１７の何れか１項に記載の海洋浮揚装置。
【請求項１９】
受信機ハウジングが、海洋浮揚装置の一般的な固定及び繋止のための空隙を含む、請求項１から１８の何れか１項に記載の海洋浮揚装置。
【請求項２０】
バスケットハウジングは、バスケットハウジング上のロッキングチャネルに挿入されたロッキングコードによってバスケットハウジングに固定された蓋を含み、蓋は保持ラグを含む、請求項１から１９の何れか１項に記載の海洋浮揚装置。
【請求項２１】
バスケットハウジングの基部は、バスケットハウジングを海底に係留または繋ぎ止める際に使用するためのシャックル、または係留または繋ぎ止めの目的に適した任意の他の水中機構または装置を含む、請求項２０に記載の海洋浮揚装置。
【請求項２２】
バスケットハウジングのベースは、張力緩和をもたらすために衝撃チューブの固定を可能にする複数の衝撃チューブ保持穴を含む、請求項２１に記載の海洋浮揚装置。
【請求項２３】
主装填の爆発手段は、衝撃チューブを介して接続可能であり起爆される起爆装置である、請求項１から２２の何れか１項に記載の海洋浮揚装置。
【請求項２４】
衝撃チューブは、衝撃チューブを始動することができる第２の受信機からの直接の何れかを介して、または電気式起爆装置を起爆することができる第２の受信機から接続可能であり、起爆可能である、請求項１から２３の何れか１項に記載の海洋浮揚装置。
【請求項２５】
バスケットハウジングは、電気から衝撃チューブへの接続を可能にする能力を含む請求項１から２４の何れか１項に記載の海洋浮揚装置。
【請求項２６】
電気から衝撃チューブへの接続能力が、表面及び４００ｍ以内の水深を有することができ、起爆装置起爆後の水の進入を防止する、請求項１から２５の何れか１項に記載の海洋浮揚装置。
【請求項２７】
電気−衝撃チューブ接続部は、電気式起爆による衝撃チューブの信頼できる起爆を可能にする機械的固定手段を含み、機械的固定手段は、水中での信頼できる起爆のために衝撃チューブを電気式起爆装置の近傍に保持するように、保持システムを介して衝撃チューブの配置及び位置を固定する、請求項１から２６の何れか１項に記載の海洋浮揚装置。
【請求項２８】
スプールを備える場合、衝撃チューブスプールは、２ピース巻き取りアセンブリと、スプールの動作中に固定することを可能にするクランプ手段とを含む、請求項１から２７の何れか１項に記載の海洋浮揚装置。
【請求項２９】
フロートは、浮力を提供しかつ当該海洋浮揚装置の安定性を向上させる１または複数のリングである、請求項１から２８の何れか１項に記載の海洋浮揚装置。
【請求項３０】
複数のフロートリングを一緒にまたは独立して使用することができる、請求項２９に記載の海洋浮揚装置。
【請求項３１】
フロートは、浮力を有する発泡体からなる、請求項３０に記載の海洋浮揚装置。
【請求項３２】
複数のバスケットハウジングは、互いに重ね合わせて積層することが可能である、請求項１から３１の何れか１項に記載の海洋浮揚装置。
【請求項３３】
複数のバスケットハウジングは、固着または係留オプションのためのカスタマイズされた解決策に結合され得る、請求項３２に記載の海洋浮揚装置。
【請求項３４】
海洋浮揚装置は、永久磁石または切換可能な磁石を用いて係留することができる、請求項１から３３の何れか１項に記載の海洋浮揚装置。
【請求項３５】
スプールを備える場合、２つの衝撃チューブ受信機を使用する場合のステップを含む、請求項１から３４の何れか１項に記載の海洋浮揚装置の設置方法であって、
ａ）海洋浮揚装置の事前検査ドリルを実施し、海洋浮揚装置が事前検査ドリルに失敗した場合、当該海洋浮揚装置を隔離するステップと、
ｂ）少なくとも２の受信機を準備するステップと、
ｃ）受信機ハウジングの蓋を取り外し、受信機用に上部ブラケット及び下部ブラケットを選択し、受信機ハウジング内にベースブラケットを固定するステップと、
ｄ）１００ｍｍを超える長さの衝撃チューブを準備し、衝撃チューブを分離起爆チャンバまたは分離起爆チャンバ内の電気式起爆手段に挿入するステップと、
ｅ）フロート分離用に使用される時間遅延用の受信機をスイッチオンするステップと、
ｆ）遠隔起爆用の受信機を受信機ハウジングに挿入するステップと、
ｇ）上部ブラケットを使用して受信機を所定位置にしっかりと固定するステップと、
ｈ）ＢＩＴ試験及びタイマー設置が完了した後に、分離された長さの衝撃チューブを時間遅延用の受信機に挿入する、またはＢＩＴ試験が完了した後、時間遅延用の受信機と分離の電気式起爆方法とを接続するステップと、
ｉ）バスケットハウジング内にスプールを挿入するステップと、
ｊ）衝撃チューブの端部を予め取り付けられた起爆装置でつかみ、バスケットハウジングのベース内の３つの衝撃チューブ保持穴を挿通させるステップと、
ｋ）バスケットハウジングと起爆装置との間の衝撃チューブの長さを調整するステップと、
ｌ）衝撃チューブをバスケット蓋の中心穴に挿通させるステップと、
ｍ）ロッキングコードを用いて蓋をバスケットハウジングに組み立てて固定し、衝撃チューブが蓋の中心孔を通って引っ張られるようにするステップと、
ｎ）受信機ハウジングのグランドロックホイールが開放されていることを確認するステップと、
ｏ）衝撃チューブの予備端を取って衝撃チューブのランニングエンドをトリミングして、衝撃チューブ製造業者の勧告に従って乾いた四角い切れ目を確保し、遠隔起爆用の１または複数の受信機の爆発手段に挿入するステップと、
ｐ）バスケット蓋の中央からスプールに供給された衝撃チューブの新たに切断された端部をスプールに引き込み、グランドロックホイールとグランドプレートを介して受信機ハウジングに供給するか、または衝撃チューブの予備端部を電気?衝撃チューブ起爆の能力に供給するステップと、
ｑ）外部プッシュボタンを押し、遠隔起爆用の受信機をオンにするステップと、
ｒ）ＢＩＴテストが完了した後、衝撃チューブを受信機に挿入するステップと、
ｓ）受信機ハウジング上にフロートを向きを合わせて追加するステップと、
ｔ）ハウジング蓋の封止を形成するために使用されるＯリングを検査するステップと、
ｕ）ロックコードを用いて受信機ハウジングに適合するように蓋の向きを合わせるステップと、
ｖ）水密封止をもたらすために受信機ハウジングベース上のグランドロックホイールを閉じるステップと、
ｗ）エジェクタアームは自由に動くが、エジェクタアームを閉じたクランプ位置に保持する張力を保持するように、保持ランヤードを受信機ハウジングに組み付けるステップと、
x）余分な衝撃チューブをスプールに送るステップと、
ｙ）バスケットハウジングの蓋につなぎ留め式のばねの脚部を向きを合わせ、位置決めするステップと、
ｚ）受信機ハウジングをバスケットハウジング上に押し下げて、受信機ハウジングをバスケットハウジングに固定して、海洋浮揚装置を展開準備が整った状態とするステップと、
を有する海洋浮揚装置の設置方法。
【請求項３６】
１個の衝撃チューブ受信機と１個の電気式受信機を使用するステップを含む、請求項３５に記載の海洋浮揚装置の設置方法。
【請求項３７】
１個の衝撃チューブ用の受信機を使用するステップを含む、請求項３５に記載の海洋浮揚装置の設置方法。
【請求項３８】
２個の電気式受信機を使用するステップを含む、請求項３５に記載の海洋浮揚装置の設置方法。
【請求項３９】
１個の電気式受信機を使用するステップを含む、請求項３５に記載の海洋浮揚装置の設置方法。
【発明の詳細な説明】
【技術分野】
【０００１】
本発明は、遠隔起爆または時間遅延起爆（timed initiation）を利用して、水線下または水線上にて電気式及び非電気式起爆装置を起爆するために既存の遠隔発火装置の能力を高めた海洋浮揚装置（maritime floatation device）に関する。
【背景技術】
【０００２】
水線下または水線上にて遠隔発火タスクを実行する使用者グループは、現在、現状の海洋浮揚方法を実施する際に生じる多くの制限やトレードオフに直面している。
【０００３】
海洋の遠隔発火を操作する初期の方法においては、気泡緩衝材のロールの周りを起爆コードで包み込み、適切な遅延長さに切断された安全ヒューズを備える非電気式起爆装置を取り付け、自己撃鉄式発火装置（self-cocking firing device：ＳＣＦＤ）を用いて起爆させていた。潜水士は、爆発コードの装填端を持って、水面上で解いたロールと共に標的に向かう。装填が完了し、潜水士が水面から引き上げた後、発火システム（安全ヒューズ及びＳＣＦＤ）が接続され、水面にて発火する。その後、使用者は安全な距離だけその領域を離れ、遅延した起爆の装填を待っていた。この方法の問題点は、ＳＣＦＤが発火し、一連の起爆動作が開始すると、指令及び制御ができないことであった。有効な起爆方法ではあるが、時代遅れであり、適切な操作方法ではなかった。
【発明の概要】
【発明が解決しようとする課題】
【０００４】
克服すべき第１の大きな課題は、海洋環境への陸地ベースの遠隔発火操作と同等な統合である。海洋ベースのタスクは、限られた空気供給、環境及び天候の問題による運転期間などの潜水士の制限など多くの要因があるため、展開は複雑化している。
【０００５】
第２の大きな課題はコストである。利用可能な解決方法は、機能を拡張するという使用者の要望は満たすが高コストであり、全ての使用者の要望を満たす低コストの解決方法ではない。一部の使用者は、要件を満たすために即興によって間に合わせなければならない。これ自体、安全性などの多くの問題がある。
【０００６】
既存の解決方法の欠点の概要：
・高価−１回当たりの使用コスト
・時間がかかる−展開と設置に
・労力集約型である−展開と設置に
・秘密裏ではない
・深さの制限
・即興でのバリエーション
・安全への影響
・騒音問題
【０００７】
無人水中車両（ＵＵＶ）を使用する場合、一般的に、深さが１０ｍに達する場合、システムを装備する静水圧ヒューズを用いて戦闘モードにて展開する。それは一体的な主装填を有しており、一般的な展開法は標的に向かって泳ぐことであり、機雷と共に爆破できるように装備することができる。自己破壊装填（countermine charge）は１回の起爆当り高価となる。ＵＵＶの戦闘ラウンドは、ヒューズを装備するために１０ｍの深さが必要なため、非常に浅い水域（ＶＳＷ）においては無効である。
【０００８】
潜水士による場合、潜水士は市販の水面フロートを使用するか、間に合わせでフロートを作製することができる。間に合わせのフロートは、ブイや大きな空のコンテナを置いた木製パレットと同程度に大きくなることがある。安全ヒューズを使用する使用者も存在するが、これは水面（パレット）にて点灯し、フラッシュ起爆装置を起動する。フラッシュ起爆装置は、主装填（main charge）起爆の標的となる起爆コードを点火する。現在、展開後に分離するという海洋用の要望を満たすフロートは存在しない。
【０００９】
衝撃チューブを、標的での装填に直結するラインとして使用することができる。これらは、しばしば、ショットガンプライマーカートリッジポジションを組み込んだミニフレア銃のような手持ち式の発火装置を用いて点火される。この解決方法は、手持ち式の起爆装置を用いた使用者による点火が必要であるので、使用者が標的から離れられる距離が制限される。
【００１０】
代替の解決方法は、音響式の遠隔発火装置を使用することである。しかし、これは必ずしも信頼性を有さず、サンゴ、魚の群れ、金属の物体、様々な種類の水などによって影響を受けるので、潜水士にとって問題となる。
【００１１】
出願人の従前の解決方法は、水面起爆だけに適し得る浮揚装置に焦点を当てたものであった。この解決方法においては、設計上の制約のために水面下（深さ３０ｍ未満）または水面にしか配置することができなかった。フローティングは、発泡体または空気で満たされた浮揚装置を使用することによって達成された。これらの解決方法においては、別個の浮揚犠牲チューブに保持された爆発コードに接続された起爆装置を始動させる単一の遠隔発火装置だけを保持することができた。従前の解決方法に使用された設置方法は、時間がかかり、水面から標的まで起爆コードを使用しているので秘密裏に行うことができない。
【００１２】
水面下の時間遅延起爆は技術的に可能であったが、使用物質のためにリスクが増大した。潜水士にとっての二次的な危険は、物質の断片化に起因しており、機雷の場合の主装填のサイズや標的のサイズによっては、危険な領域が大幅に増加し、作業が長期化するため、困難になるおそれがあった。
【００１３】
以前の解決方法は、主ハウジングの一部ではない密閉された外部犠牲アセンブリへの接続を伴う電気式な起爆に一般的に使用されていた。しかし、設置のサービス制限内で使用されるので、操作能力によって使用が制限された。
【００１４】
海洋環境の脅威が増大する中での運用のために、陸上ベースのＲＦＤの運用能力を強化し、関連する海洋利用者グループによる需要を満たすための解決方法が求められている。これにより、様々な操作能力を満たす全ての海洋使用者グループに単一の解決方法が提供される。
【００１５】
起爆装置の起爆／爆発物の起爆の安全性及び信頼性を高めるための解決方法が必要である。この文脈での安全とは、操作中の解決策の設置／展開中に意図しない起爆装置の起爆が確実に生じないことを意味する。意図しない起爆は非常に致命的である。
【００１６】
どのような解決方法においても、非常に浅い水域から水面から深い水域における操作を使用者が実施できることが必要である。
【００１７】
時間遅延を用いて、短距離及び長距離に亘る遠隔水面起爆及び水面下起爆を行う必要がある。解決方法は、離れた場所から遠隔で起爆できるように、水面展開のために設置及び展開が可能なものである。さらに、解決方法は、水面下に設置及び展開可能であり、水面に自ら解放できなくてはならない。
【００１８】
海洋浮揚装置及び種々の受信機を使用することにより、使用者は複数の操作能力をサポートすることができる。
【課題を解決するための手段】
【００１９】
本発明の第１の態様は、非電気式または電気式な起爆によって水線上及び水線下において遠隔発火装置を使用するための海洋浮揚装置であって、
ａ）衝撃チューブを介してそれぞれの爆発手段に接続可能な少なくとも２の受信機の組を有する受信機ハウジングであって、第１の受信機は分離のための時間遅延起爆に適合し、第２の受信機は当該海洋浮揚装置に必要とされる作動能力を満たすために遠隔起爆に適合する受信機ハウジングと、
ｂ）受信機ハウジングに接続され、解放可能なバスケットハウジングと、
ｃ）２つのハウジングを一体に保持する保持手段と、
ｄ）時間遅延起爆用の受信機から開始される爆発手段による起爆時に受信機ハウジングをバスケットハウジングから分離することを可能にするように、保持手段を非活性化する分離手段と、
ｅ）バスケットハウジング内に位置され得る衝撃チューブスプールであって、所望する標準動作手順に適合して当該海洋浮揚装置が展開する柔軟性を有するように第２の受信機を爆発手段に接続可能に所定長さの衝撃チューブを収容して含むスプール、及び／または、ｆ）受信機ハウジングがバスケットハウジングから分離されると、受信機ハウジングが水面に浮くことができるように、受信機ハウジングに取り付け可能なフロートとを備え、
当該海洋浮揚装置の信頼性に影響を及ぼす水が侵入せずに、水深下の水の下に配備され動作することが可能な特性を有する衝撃チューブの非電気式または電気式な起爆が可能な海洋浮揚装置である。
【００２０】
好ましくは、受信機ハウジングは、腐食及び磁気感応を最小限に抑制する材料からなる。
【００２１】
好ましくは、前記材料は、アセタール、ステンレス鋼及びポリカーボネート部品の組み合わせである。
【００２２】
好ましくは、バスケットハウジングは、最大５００ｍの長さの衝撃チューブをスプールに保持することが可能であり、当該海洋浮揚装置は、水面から深さ４００ｍまでの範囲内にて動作可能であり、当該海洋浮揚装置の２つのハウジングが分離すると、当該２つのハウジングの間に張り渡しと緩みをもたらす。
【００２３】
好ましくは、受信機ハウジングは、バスケットハウジングに取り付けられた顎受け手段と協働して係合する下方に垂下するエジェクタアームに旋回可能に取り付けられ、エジェクタアームはクランプ動作で保持される、受信機ハウジングとバスケットハウジングとを解放可能に固定するように、保持手段によって顎受け手段と係合する。
【００２４】
好ましくは、顎受け手段は保持突起であり、保持突起は、２つのハウジングが互いに分離することを可能にする分離手段によって、保持手段の非作動時にエジェクタアームの解放及び開放を補助するための傾斜面を含む。
【００２５】
好ましくは、受信機ハウジングは、当該受信機ハウジング内の受信機のボタン操作を可能にするＲＲｘ作動プッシュボタンを備えた蓋を有する、請求項１から６の何れか１項に記載の海洋浮揚装置。
【００２６】
好ましくは、蓋は、アンテナが必要ない場合に、アンテナまたは水密キャップを収容するように適合された開口部を有する。
【００２７】
好ましくは、蓋は、ロッキングコードによってハウジングに固定され、ロッキングコードは、ロッキングチャネルを介してハウジングに嵌合される。
【００２８】
好ましくは、受信機ハウジングは、２つのディスプレイ窓と２つの受信機ボタンとを有し、受信機ディスプレイが視覚的に検査され、受信機ディスプレイ内のハウジング内に嵌合された受信機を動作させる外部アクセスが可能である。
【００２９】
好ましくは、受信機ハウジングは、間隔を置いて配置され、つなぎ留め式のステンレス鋼製の発火ばねを備え、下方に垂れ下がって一体化された少なくとも２本の脚部を有し、脚部は、受信機ハウジングがバスケットハウジングに接続されているとき、一直線上に位置し、バスケットハウジングの頂部と接触し、受信機ハウジングがバスケットハウジングに接続されているとき、つなぎ留め式のばねは、荷重を受けて圧縮され、分離手段の動作によってバスケットハウジングから受信機ハウジングを分離するための発射力を与えるように構成されている。
【００３０】
好ましくは、等間隔に配置され、下方に垂れ下がって一体化された脚部が４本存在する。
【００３１】
好ましくは、分離手段は、保持手段を不活性化するように受信機ハウジングを通るように適合された切断ブレードを有するブレードアセンブリを含み、ブレードアセンブリは、受信機ハウジング内に収容され、受信機ハウジング内にて分離起爆チャンバに接続され、分離起爆チャンバは、内部に時間遅延受信機に対する爆発手段を含み、時間遅延受信機に作動させる際、爆発手段は起爆して切断ブレードを切断して保持手段を不活性化させて、エジェクタアームを解放させ、脚部上のつなぎ留め式のばねをバスケットハウジングから分離させる力を減少させる。
【００３２】
好ましくは、２つのハウジングを解放可能に保持する保持手段は、バスケットハウジング上の脚部に対するクランプ位置にエジェクタアームを保持するように、エジェクタアームに固定可能な細長い部材を含み、細長い部材は、脚部からエジェクタアームを解放する補助するために、切断ブレードによって切断されるように構成されている。
【００３３】
好ましくは、細長い部材は、切断可能に構成されたタイ、コード、ワイヤ、糸、リンク、ストランド、ライン、バンド、ケーブルまたはツインである。
【００３４】
好ましくは、エジェクタアームをラグにしっかりと締め付けるように細長い部材に張力がかけられている。
【００３５】
好ましくは、細長い部材はバネ付勢のストラップである。
【００３６】
好ましくは、スプールを備える場合、受信機ハウジングは、グランドプレートと、受信機ハウジングの下面に設けられたグランドとを有し、グランドプレート及びグランドは、スプールから受信機ハウジング内に入るように衝撃チューブの接続が可能となるように適合され、受信機ハウジングの内側の衝撃チューブと受信機ハウジングの外側の衝撃チューブとの間の緊張緩和及び水密封止をもたらすために、グランドプレートはグランドを収容する。
【００３７】
好ましくは、受信機ハウジングが、海洋浮揚装置の一般的な固定及び繋止のための空隙を含む。
【００３８】
好ましくは、バスケットハウジングは、バスケットハウジング上のロッキングチャネルに挿入されたロッキングコードによってバスケットハウジングに固定された蓋を含み、蓋は保持ラグを含む。
【００３９】
好ましくは、バスケットハウジングの基部は、バスケットハウジングを海底に係留または繋ぎ止める際に使用するためのシャックル、または係留または繋ぎ止めの目的に適した任意の他の水中機構または装置を含む。
【００４０】
好ましくは、バスケットハウジングのベースは、張力緩和をもたらすために衝撃チューブの固定を可能にする複数の衝撃チューブ保持穴を含む。
【００４１】
好ましくは、主装填の爆発手段は、衝撃チューブを介して接続可能であり起爆される起爆装置である。
【００４２】
好ましくは、衝撃チューブは、衝撃チューブを始動することができる第２の受信機からの直接の何れかを介して、または電気式起爆装置を起爆することができる第２の受信機から接続可能であり、起爆可能である。
【００４３】
好ましくは、バスケットハウジングは、電気から衝撃チューブへの接続を可能にする能力を含む。
【００４４】
好ましくは、電気から衝撃チューブへの接続能力が、表面及び４００ｍ以内の水深を有することができ、起爆装置起爆後の水の進入を防止する。
【００４５】
好ましくは、電気−衝撃チューブ接続部は、電気式起爆による衝撃チューブの信頼できる起爆を可能にする機械的固定手段を含み、機械的固定手段は、水中での信頼できる起爆のために衝撃チューブを電気式起爆装置の近傍に保持するように、保持システムを介して衝撃チューブの配置及び位置を固定する。
【００４６】
好ましくは、スプールを備える場合、衝撃チューブスプールは、２ピース巻き取りアセンブリと、スプールの動作中に固定することを可能にするクランプ手段とを含む。
【００４７】
好ましくは、フロートは、浮力を提供しかつ当該海洋浮揚装置の安定性を向上させる１または複数のリングである。
【００４８】
好ましくは、複数のフロートリングを一緒にまたは独立して使用することができる。
【００４９】
好ましくは、フロートは、浮力を有する発泡体からなる。
【００５０】
好ましくは、複数のバスケットハウジングは、互いに重ね合わせて積層することが可能である。
【００５１】
好ましくは、複数のバスケットハウジングは、固着または係留オプションのためのカスタマイズされた解決策に結合され得る。
【００５２】
好ましくは、海洋浮揚装置は、永久磁石または切換可能な磁石を用いて係留することができる。
【００５３】
本発明の第２の態様は、スプールを備える場合、第１の態様に記載の海洋浮揚装置の設置方法である。本方法は、２つの衝撃チューブ受信機を使用する場合のステップを含む方法であって、
ａ）海洋浮揚装置の事前検査ドリルを実施し、海洋浮揚装置が事前検査ドリルに失敗した場合、当該海洋浮揚装置を隔離するステップと、
ｂ）少なくとも２の受信機を準備するステップと、
ｃ）受信機ハウジングの蓋を取り外し、受信機用に上部ブラケット及び下部ブラケットを選択し、受信機ハウジング内にベースブラケットを固定するステップと、
ｄ）１００ｍｍを超える長さの衝撃チューブを準備し、衝撃チューブを分離起爆チャンバまたは分離起爆チャンバ内の電気式起爆手段に挿入するステップと、
ｅ）フロート分離用に使用される時間遅延用の受信機をスイッチオンするステップと、
ｆ）遠隔起爆用の受信機を受信機ハウジングに挿入するステップと、
ｇ）上部ブラケットを使用して受信機を所定位置にしっかりと固定するステップと、
ｈ）ＢＩＴ試験及びタイマー設置が完了した後に、分離された長さの衝撃チューブを時間遅延用の受信機に挿入する、またはＢＩＴ試験が完了した後、時間遅延用の受信機と分離の電気式起爆方法とを接続するステップと、
ｉ）バスケットハウジング内にスプールを挿入するステップと、
ｊ）衝撃チューブの端部を予め取り付けられた起爆装置でつかみ、バスケットハウジングのベース内の３つの衝撃チューブ保持穴を挿通させるステップと、
ｋ）バスケットハウジングと起爆装置との間の衝撃チューブの長さを調整するステップと、
ｌ）衝撃チューブをバスケット蓋の中心穴に挿通させるステップと、
ｍ）ロッキングコードを用いて蓋をバスケットハウジングに組み立てて固定し、衝撃チューブが蓋の中心孔を通って引っ張られるようにするステップと、
ｎ）受信機ハウジングのグランドロックホイールが開放されていることを確認するステップと、
ｏ）衝撃チューブの予備端を取って衝撃チューブのランニングエンドをトリミングして、衝撃チューブ製造業者の勧告に従って乾いた四角い切れ目を確保し、遠隔起爆用の１または複数の受信機の爆発手段に挿入するステップと、
ｐ）バスケット蓋の中央からスプールに供給された衝撃チューブの新たに切断された端部をスプールに引き込み、グランドロックホイールとグランドプレートを介して受信機ハウジングに供給するか、または衝撃チューブの予備端部を電気?衝撃チューブ起爆の能力に供給するステップと、
ｑ）外部プッシュボタンを押し、遠隔起爆用の受信機をオンにするステップと、
ｒ）ＢＩＴテストが完了した後、衝撃チューブを受信機に挿入するステップと、
ｓ）受信機ハウジング上にフロートを向きを合わせて追加するステップと、
ｔ）ハウジング蓋の封止を形成するために使用されるＯリングを検査するステップと、
ｕ）ロックコードを用いて受信機ハウジングに適合するように蓋の向きを合わせるステップと、
ｖ）水密封止をもたらすために受信機ハウジングベース上のグランドロックホイールを閉じるステップと、
ｗ）エジェクタアームは自由に動くが、エジェクタアームを閉じたクランプ位置に保持する張力を保持するように、保持ランヤードを受信機ハウジングに組み付けるステップと、
x）余分な衝撃チューブをスプールに送るステップと、
ｙ）バスケットハウジングの蓋につなぎ留め式のばねの脚部を向きを合わせ、位置決めするステップと、
ｚ）受信機ハウジングをバスケットハウジング上に押し下げて、受信機ハウジングをバスケットハウジングに固定して、海洋浮揚装置を展開準備が整った状態とするステップと、
を有する海洋浮揚装置の設置方法である。
【００５４】
好ましくは、１個の衝撃チューブ受信機と１個の電気式受信機を使用するステップを含む。
【００５５】
好ましくは、１個の衝撃チューブ用の受信機を使用するステップを含む。
【００５６】
好ましくは、２個の電気式受信機を使用するステップを含む。
【００５７】
好ましくは、１個の電気式受信機を使用するステップを含む。
【００５８】
本発明は、添付の図面を参照して、単なる例示として記載される。
【図面の簡単な説明】
【００５９】
【図１】本発明の実施形態に係る海洋浮揚装置の第１の展開オプションを示す概略図。
【図２】本発明の実施形態に係る海洋浮揚装置の第２の展開オプションを示す概略図。
【図３】本発明の実施形態に係る海洋浮揚装置の第３の展開オプションを示す概略図。
【図４】本発明の実施形態に係る海洋浮揚装置の第４の展開オプションを示す概略図。
【図５】本発明の実施形態に係る浮揚装置の分解斜視図であり、主受信機ハウジング、バスケットアセンブリ及び構成要素を示す。
【図５Ａ】本発明の実施形態に係る浮揚装置の分解斜視図であり、ブレードアセンブリ及びその構成要素を示す。
【図６】図５に示すようにベースに接続するための受信機ハウジングを設置した浮揚装置の斜視図。
【図７】図５及び図６に示す浮揚装置のバスケットハウジングの等角平面図。
【図７Ａ】図５、図６及び図７に示すバスケットの底面図、側面図及び上面図。
【図８】本発明の実施形態に係る浮揚装置の付属品、犠牲チューブ及び構成要素の等角側面図。
【図９】本発明の実施形態に係る浮揚装置のスプーラの等角側面図。
【図１０】本発明の実施形態に係る、組み付けた及び組み付けられていない浮揚装置のフロートリングの正面図及び平面図。
【図１１】本発明の第１の好適な実施形態に係る浮揚装置を設置するための最重要ステップを示すフローチャート。
【図１２】本発明の第１の好適な実施形態に係る浮揚装置を設置するための最重要ステップを示すフローチャート。
【図１３】本発明の第１の好適な実施形態に係る浮揚装置を設置するための最重要ステップを示すフローチャート。
【図１４】本発明の第１の好適な実施形態に係る浮揚装置を設置するための最重要ステップを示すフローチャート。
【図１５】本発明の第１の好適な実施形態に係る浮揚装置を設置するための最重要ステップを示すフローチャート。
【発明を実施するための形態】
【００６０】
以下、本発明の好適な実施形態に関連して本発明、すなわち分離可能な水中／浮上式浮揚装置について説明する。本発明は、これら好適な実施形態だけに限定されるものではなく、これら実施形態は本発明を単に例示するものであり、本発明の範囲から逸脱することなく変形及び変更が可能であることは容易に明らかであろう。
【００６１】
海洋浮揚装置には、図１から図４に示すように４つの展開オプションを有する。
【００６２】
ａ．水面無線遠隔発火（Remote Initiated Firing：ＲＩＦ）−図１
本シナリオでは、発明された海洋浮揚装置ＭＦＤを使用して機雷を爆破する。潜水士は、海洋浮揚装置をアンカーポイントに固定する。時間間隔を経た後に、海洋浮揚装置ＭＦＤの２つのハウジングが分離され、受信機ハウジングは水面に浮き、遠隔発火装置ＲＦＤによる遠隔発火の準備がなされる。
【００６３】
ｂ．ＲＩＦを使用した水面下での潜水士による解放と水面起爆−図２
本シナリオでは、水面起爆用のＭＦＤを水面下で展開及び配置をし、手作業で解放。
【００６４】
ｃ．時間遅延発火（Timed Initiated Firing：ＴＩＦ）を使用した水面下展開−図３
本シナリオでは、主装填（main charge）を起爆するために水中でタイマーカウントダウンを使用した水面下での時間遅延発火（ＴＩＦ）。
【００６５】
ｄ．ＴＩＦ分離水面ＲＩＦ起爆のための水面下展開−図４
本シナリオでは、水面下展開の水面下タイマーカウントダウンＴＣを使用して行われるフローティングＭＦＤ分離によって水中に展開させる。フロートが水面に達すると、遠方から起爆可能。
【００６６】
浮揚装置によって、１または複数の受信機の時間遅延した遠隔起爆機能を利用して、水線上及び水線下にて遠隔起爆装置を使用することが可能となる。浮揚装置は２つの主要部を有する。
【００６７】
ａ．受信機ハウジングである上半分（トップハーフ）は、必要な操作機能を満たすために受信機の組を収容することが可能である。
【００６８】
ｂ．バスケットである底半分（ボトムハーフ）は、スプールされた衝撃チューブ（ＳＴ）の長さに対応して、標準操作手順（ＳＯＰ）に合わせて柔軟に展開することができ、使用者フレキシビリティがある。
【００６９】
浮揚装置の主な構成要素は以下の通りである。
ａ．受信機（図示せず）
ｂ．受信機ハウジング（図５）
ｃ．ブラケットキット（図５）
ｄ． 犠牲チューブアセンブリ（図８）
ｅ．浮揚装置スプーラ（図９）
ｆ．フロートリング（図１０）
【００７０】
図５から図８及び図１０に、本発明の海洋浮揚装置を示す。海洋浮揚装置には、海洋浮揚装置を海洋ベースの遠隔発火システムとして利用できるように多数のＲＦＤが供給されている。海洋浮揚装置は、２つの主要アセンブリ、すなわち受信機ハウジングアセンブリ（１３）とバスケットアセンブリ（２８）とに分解される。
【００７１】
浮揚装置は、好ましくは非電気式または電気式起爆によって、水中で使用するために主として衝撃チューブによる起爆が可能となるように設計されている。衝撃チューブは、信頼性に影響を及ぼすほどに水が侵入しないで水深の水中において配備及び操作できるに必要な特性を有する。浮揚装置によって、既存の使用者選択のために、電気式及び非電気式起爆で作動させる解決方法が提供される。
【００７２】
図９は、バスケットアセンブリに挿入するための衝撃チューブスプールを設置する際に使用されるスプーラを示す。
【００７３】
海洋浮揚装置は、２つの主要アセンブリから構成される。
【００７４】
ａ．受信機ハウジング１３
海洋浮揚装置の上部は、受信機ハウジング１３である。ハウジング１３は、受信機を保持することができる。ハウジング材料は、必要に応じステンレス鋼及びポリカーボネート部品を使用するアセタールであることが好ましく、腐食及び磁気感応を最大限に抑制することができる。
【００７５】
ｂ．バスケットアセンブリ２８
海洋浮揚装置の底部は、海洋浮揚装置の２つのハウジングが分離したときに伸び及び弛緩がもたらされるように、その中に存在する所定長さの衝撃チューブを保持することができるバスケットハウジング２６を備えたバスケットアセンブリ２８である。（少なくとも６０ｍの操作深度のために、衝撃チューブは少なくとも１００ｍ以下であることが好ましい。）バスケットアセンブリ２８の材料はアセタールである。
【００７６】
本体アセンブリは、複数の重要な構成要素を含んでいる。
【００７７】
i．受信機ハウジング蓋２
受信機ハウジング蓋２は、装着された受信機のボタン作動を可能にするために使用されるＲＲｘ作動プッシュボタン１を、その上部中央に備える。蓋は、ロッキングチャネル２２を介して取り付けられたロッキングコードを用いて固定されている。ロッキングコードは、蓋をハウジングに保持するために用いられている。
【００７８】
ii．表示ウィンドウ１１及び受信機ボタン１２
浮揚装置は、２つのディスプレイ窓１１及び２つの受信機ボタン１２を備えている。それぞれ一方が浮揚装置の反対側に位置しているので、他方のみが図５に示されている。これらの存在によって、外部からのアクセスによって内部に取り付けられた受信機を操作することが可能となる。ディスプレイ窓によって、受信機ディスプレイを視覚的に検査することが可能となる。
【００７９】
iii．バスケットエジェクタアーム４５
バスケットエジェクタアームは受信機ハウジングに結合されており、エジェクタアーム４５は、受信機ハウジングをバスケットに、または標的を固定する代替のインターフェースソルーションを固定するために使用される。バスケットエジェクタアームは、ピン２３を用いて受信機ハウジングに旋回可能に保持されている。
【００８０】
iv．蓋アンテナ盲栓３，４
蓋アンテナ盲栓３は、外部アンテナが不要な場合に使用される。蓋アンテナ盲栓３は、蓋２のアンテナ開口部４に嵌め込まれ、封止する。
【００８１】
v．ハウジング脚部及び発火ばね１５
受信機ハウジングには、つなぎ留め式のステンレス鋼製発火ばね１５を備えた４本の脚部が結合されている。ハウジング脚部は、受信機ハウジング１３をバスケット２６または標的に固定するための代替のインターフェースソリューションに位置合さする際に役立つ。つなぎ留め式ばね１５は、バスケット２６にロックされたとき、負荷を受けて圧縮される。ばねは、バスケット１３から受信機ハウジング１３を分離するための発射力をもたらす。
【００８２】
vi．ブレードアセンブリ２４及び図５ａ
ブレードアセンブリ２４は、分離起爆チャンバの受信機ハウジング１３内に収容されている。分離起爆チャンバは、設置（セットアップ）のために受信機ハウジング１３の内部においてアクセスされ、メンテナンスのためには外部からアクセスされる。ブレードアセンブリ２４には、エンクロージャ４９（図５ａ）、切断ブレード４８（図５ａ）、液浸シール用のＯリング５０（図５ａ）及びプレート４７（図５ａ）が取り付けられ、２本の保持ボルト５１（図５ａ）が、アセンブリを受信機ハウジング１３内に保持するために用いられる。分離起爆チャンバは、電気式または非電気式の爆発性媒体手段によって操作することができる。
【００８３】
vii．分離は、爆発性媒体を起爆させて切断刃を押し下げ、切断前には受信機ハウジング１３をバスケット２６に保持する補助するために使用していた保持ランヤード２５を切断することによって完了する。受信機ハウジング１３は。分離され、ばね１５の作動によってバスケット２６から発射される。保持ランヤード２５は、ばね付勢されており、受信機ハウジング１３とバスケット２６が一体に組み立てるときに、バスケットエジェクタアーム４５を定位置に固定する。この構成要素は犠牲になり、一回しか使用してはいけない。トグルは必ずブレードアセンブリ側に取り付けなければならない。ランヤードは、使用者が一人で簡易に組み立てることを可能にするユニークな解決方法である。
【００８４】
viii．グランドプレート１６及びグランドロックホイール（非電気式）１７
主装填を起爆するために衝撃チューブを使用する場合、グランドプレート１６及びグランドロックホイール１７（両方とも非電気式）が使用される。受信機ハウジング１３の下面には、グランドプレート１６が組み付けられている。これは、押し込み及び回転操作によって固定されている。グランドプレート１６は、受信機ハウジング１３の内部のＳＴとハウジング１３の外部のＳＴとの間を水密封止するために、グランドロックホイール１７を収容している。
【００８５】
ix．固定空隙１４
受信機ハウジング１３の基部の壁に沿って、海洋浮揚装置の一般的な固定及び係留に使用される単一の円形空隙１４が形成されている。
【００８６】
x．衝撃チューブ保持
受信機ハウジング１３の基部の壁に沿って、単一のＳＴ発火装置（initiator）が使用される場合、または２個のＳＴ発火装置が使用される場合、全体的に固定するためにＳＴを保持するために使用される単一のＳＴリテーナが含まれている。
【００８７】
xi．ロッキングコード２０
アセンブリの部品が確実に外れないように、コードが使用される。ロッキングコードは、２つの部品を組み立てたときに部品が外れないように、機械的な障害物を形成する溝（ロッキングチャンネル）に手で挿入される。
【００８８】
xii．ブラケットキット５，６，７，８，９，１０，２１
インタフェースブラケットキットは、受信機の様々な構成に使用される。キットは、いくつかの上部ブラケット５，７及び底部ブラケット８，２１からなっている。受信機６，９の正しい取り付けを保証するために、様々なスペーサー６，９が設けられる。ブラケット窪み１０は、異なる高さの受信機に対応するために使用される。受信機の高さは異なっていてもよい。スペーサー９を使用すると、高さの低い受信機をハウジング内で使用することができるようになる。インターフェイスキットによって、受信機が確実に保持され、適正に動作する場所に配置されることが保証される。
【００８９】
xiii．バスケットアセンブリ１８，１９，２０，２６，２７，２８，４５，４６
バスケットアセンブリは、隔離されたポスト分離（standoff post separation）及び所望する標的に対して水面下起爆を起こすための非電気式手段を提供する非電気式スプールを収容し、配備するために使用される。バスケットアセンブリは、バスケット２６、シャックル２７（固定用に使用される）及びバスケット蓋アセンブリ１９を備える。バスケット２６のベース４５には、張力緩和をもたらすためにＳＴの固定を可能にするために３つのＳＴ保持穴が形成されている。バスケット蓋１９は２つの保持ラグ１８を有する。保持ラグ１８は所定の角度で製造されるので、受信機ハウジング１３のバスケットエジェクタアーム４５がラグ１８をクランプすると、エジェクタアーム４５が強制的に開く。 蓋１９は、ロッキングチャネルをロッキングチャネル２０に挿入することによって取り付けられたロッキングコードを用いて、バスケットに固定されている。ロッキング方法は、受信機ハウジングの蓋２の場合と同様である。
【００９０】
xiv．アンテナアセンブリ２９
浮揚装置は、受信機ハウジング蓋に組み付けるための多数のアンテナアセンブリを有している。このアセンブリは、再使用可能な受信機を配備する際、１／４波長アンテナ及び半波長アンテナを使用することができる。これらは、より高い海の状態での通信を向上させ、使用者のＣＯＮＯＰＳをサポートするために使用される。アンテナアセンブリは、蓋アンテナ盲栓３を取り外して取り付けられる。アセンブリは、取り外しが容易であるという特徴を有する。ＯリングはＯリングチャネル内に配置され、受信機ハウジング蓋２のねじ穴７にねじ込まれて、浸漬封止を生成する。
【００９１】
xv．犠牲チューブ（図８）
犠牲チューブは、電気式起爆装置を用いてＳＴを起爆させることができる。犠牲チューブは、ハウジング１３の基部に嵌合し、ＳＴＡの設置が完了すると嵌合することができる。ＳＴＡプレートによって、受信機ハウジング内への機械的ストッパへの挿入及び回転を簡単にすることができる。ＳＴＡプレートは、浸漬封止のためにＯリングを利用する。犠牲チューブにアクセスするためには、ロッキングコードが除去され、ＳＴＡハウジング３２が分離される。電気式起爆装置のケーブルは、ＳＴＡキャップ端部からチューブに送られる。犠牲チューブアセンブリ（ＳＴＡ）の設置が完了すると、ＳＴＡプレート３４に取り付けられたキャップねじが締め付けられて、起爆装置が点火した後に水の進入を防止するための二次浸漬封止が形成される。ＳＴＡの設置が完了すると、電気式起爆装置のケーブルは、受信機ハウジング内の選択された電気式点火受信機に接続される。
【００９２】
xvi．スピットファイア・アダプタ３６
スピットファイア・アダプタ３６は、サイズが異なる起爆装置を固定するために使用される。使用者の起爆装置に対する要望に従って供給される。スピットファイア・アダプタ３６に起爆装置を挿入し、アダプターをキャップ３５に挿入する。スピットファイア・アダプタ３６によって、ＳＴを２つの穴の１つに挿入することによって、スパイトファイア内の起爆装置の長さ方向に平行に挿入することが可能となる。スピットファイア・アダプタの上部本体の上部とベースの２つの凹んだ穴の周りにある。これにより、ＳＴを起爆装置に並列に供給するためのループが形成される。これにより、スピットファイア及び起爆装置内にＳＴが固定される。ＳＴＡハウジング３２は、固定コードを用いて固定されている。ロッキングコードは、突出するまで全周に亘ってねじ込まれる。
【００９３】
xvii．スプーラ（図９）
スプーラは、２ピースのリールアセンブリ４０，４１及びクレードル４３からなる。リールアセンブリによって、配備のために予め準備されたバスケット２６に挿入するためのＳＴを準備することができる。スプーラは、動作中に固定することを可能にするために、クレードル４３を付随している。ロックカラー３８は、動作中にスプーラをクレードルに保持する。スプーラには折り畳み可能なスプール軸を有しており、これにより準備されたＳＴスプールを簡単に取り外すことができる。取外可能プレート４２を取り外すと、スプール軸は崩壊する。スプール軸４１及びエンドプレート４０によって、ケーブルタイをスプールされたＳＴの下に挿入すること、及びスプールが取り外れないようにＳＴを固定することが可能となる。
【００９４】
xviii．フロートリング（図１０）
浮揚装置は、フロートリング４４を備えている。フロートリングは、特別な発泡フォーム及び炭素繊維を用いて同長のピンボルトを固定するように構成されている。フロートリングによって、操作、戦術的状況及び海の状態に応じて、使用者に選択肢が生じる。フロートリングによって、展開時にフロートの浮力及び安定性が向上する。フロートリングを受信機ハウジングに取り付けても、ディスプレイ窓の表示やボタンアセンブリの機能は妨げられない。
【００９５】
ユニークな設計上の特徴
【００９６】
・犠牲的な保持ランヤードを備えた発射システム。この組み合わせにより、使用者が浮揚装置を簡単に設置することができるだけでなく、受信機ハウジングとバスケットアセンブリが分離したときに必要な発射機構がもたらされる。ランヤードは以下のように設計されている。
〇バスケットエジェクタアームに張力をかけており、２つの主要アセンブリが分離しない。
〇ブレードアセンブリによって切断され、分離可能となる。
〇使用者が一人で追加の工具や他者の存在を必要とせずに、２つの主要アセンブリを容易に組み立てることができる。
【００９７】
・ブラケットキットを用いて既存のＲＦＤシステムを受信機ハウジングに特異に統合する。
【００９８】
・海面の状態が＞１になるように水面において浮力を追加させるフロートリングを設計。フロートリングの使用によって、取り付けられた受信機を引き続き使用し、内部を視認することができる。
【００９９】
・スピットファイアは犠牲チューブの一部であり、起爆のために起爆装置の近くに衝撃チューブを保持するように設計されている。スピットファイアによって、起爆装置の破損が防止されるとともに、起爆のために確実にＳＴを起爆装置と平行に並んで位置させることができる。スピットファイアは、ＳＴＡに組み立てられたときに、起爆装置の起爆に影響を及ぼすような水が起爆装置にかかることを防止するように封止する。
【０１００】
・受信機ハウジング１３の蓋２、バスケット２６の蓋１９及びＳＴＡハウジング３２をキャップ３５に保持するための使用されるロック機構。
【０１０１】
・スプーラは、スプールされたＳＴを簡単に取り外すための折り畳み軸機構と、スプール形状を維持するためにＳＴスプール周りにケーブルタイを組み付けることが可能な設計的な特徴を有している。スプールエンドプレートは取り外し可能であり、衝撃チューブスプールをスプールから取り外すことができる。スプールは、ロックカラーを使用してクレードルに保持される。
【０１０２】
動作シナリオをサポートするために、設置に関わる一般的な運用手順は、図１１に記載された２個のＳＴ受信機の設定に従う。効率的な設置を保証するために浮揚装置を設置する前に、事前設置を行うことが推奨される。全受信機が対応する動作モードに設定され、バスケット挿入用に衝撃チューブの少なくとも１のスプールが使用可能であることが推奨される。１または複数の受信機を受信機ハウジングに取り付ける際、主装填のために必要な接続が内部で行われ、必要に応じて分離機能を動作させるために接続が行われる。
【０１０３】
まず、浮揚装置の事前検査ドリル（inspection drill）を行う（１００）。検査に失敗した場合、装置を隔離する（１０１）。検査ドリルに合格した場合、２個の衝撃チューブ（ＳＴ）受信機を準備する（１０２）。一方は時間遅延起爆モード用であり、他方は遠隔起爆モード用である。受信機ハウジングの蓋を取り外す（１０３）。受信機に適した上下ブラケットを選択し（１０４）、受信機ハウジング内にベースブラケットを固定する（１０５）。フロート分離用に使用される第１の受信機をスイッチオンして挿入する（１０６）。主装填用に使用される第２の受信機を挿入する（１０７）。上部ブラケットを、受信機を適所にしっかりとクランプするように組み付ける（１０８）。所定の長さの衝撃チューブを準備し（１０９）、この衝撃チューブを分離チャンバに挿入する（１１０）。衝撃チューブは、ＢＩＴ試験が完了した後、第１の受信機に挿入する（１１１）。
【０１０４】
スプールをバスケット内に挿入する（１１２）。予め取り付けられた起爆装置で端部をつかみ、バスケットのベースの３つの張力緩和穴を挿通させる。バスケットと起爆装置との間のＳＴの長さを調整する（１１３）。ＳＴの長さは、使用者の要求／特定の作業に応じたものとする。
【０１０５】
バスケット蓋の中心穴にＳＴを通す（１１４）。受信機ハウジングのグランドロックホイールが開放されていることを確認し、ＳＴの予備端をグランドロックホイール及びグランドプレートを介して受信機ハウジングに供給されるスプールに取り付ける（１１５）。
【０１０６】
ロックコードを使用して蓋をバスケットに組み立てて固定し（１１６）、ＳＴが蓋の中心穴を通して引っ張られるようにする。
【０１０７】
主装填用の受信機に挿入する前に、ドライ及びスクエアカットを確実にするために、製造元の推奨事項に従ってＳＴのランニングエンドをトリミングする。ＳＴをグランドロッキングホイールを介して受信機ハウジングに挿入する。外部プッシュボタンを押して第２の受信機をオンにする。ＢＩＴテストが完了したら、ＳＴを第２の受信機に挿入する（１１７）。
【０１０８】
受信機ハウジングの上にフロートリングを、向きを合わせて組み付ける（１１８）。受信機のＯリングに損傷がないか確認する（１１９）。受信機ハウジングに蓋を、向きを合わせて組み付け、固定する（１２０）。
【０１０９】
受信機ハウジングベース上にグランドロッキングホイールを閉じて水密封止する（１２１）。エジェクタアームは自由に動くがエジェクタアームを閉位置に保持する張力を保持するように、保持ランヤードを受信機ハウジングに組み付ける（１２２）。ＳＴをＳＴリテーナ内に固定し、余分なＳＴをバスケットのスプール内に送り込む（１２３）。
【０１１０】
受信機ハウジング脚部は、バスケット蓋のそれぞれの穴を用いて向き合わせをして、位置決めする（１２５）。受信機ハウジングをバスケット上に押し下げる（１２５）。最後に、ケーブルタイをスプールから取り外し（１２６）、最終的なトップダウンチェックが完了する。浮揚装置が直ちに展開可能となる準備が整う（１２７）。
【０１１１】
動作シナリオをサポートするために、設置に関わる一般的な運用手順は、図１２に記載された１個のＳＴと１個の電気式な受信機の設定に従う。効率的な設置を保証するために浮揚装置を設置する前に、事前設置を行うことが推奨される。全受信機が対応する動作モードに設定され、バスケット挿入用に衝撃チューブの少なくとも１のスプールが使用可能であることが推奨される。受信機を受信機ハウジングに取り付ける際、主装填のために必要な接続が内部で行われ、必要に応じて分離機能を動作させるために接続が行われる。
【０１１２】
まず、浮揚装置の事前検査ドリルを行う（２００）。検査に失敗した場合、装置を隔離する（２０１）。検査ドリルに合格した場合、１個のＳＴ受信機と１個の電気式受信機を準備する（２０２）。受信機ハウジングの蓋を取り外す（２０３）。受信機に適した上下ブラケットを選択し（２０４）、受信機ハウジング内にベースブラケットを固定する（２０５）。フロート分離用に使用される第１の受信機をスイッチオンして挿入する（２０６）。主装填用に使用される第２の受信機を挿入する（２０７）。上部ブラケットを、受信機をしっかりと定位置にクランプするように組み付ける（２０８）。所定の長さの衝撃チューブを準備し（２０９）、この衝撃チューブを分離チャンバに挿入する（２１０）。衝撃チューブを、ＢＩＴ試験が完了した後、第１の受信機に挿入する（２１１）。
【０１１３】
スプールをバスケット内に挿入する（２１２）。予め取り付けられた起爆装置で端部をつかみ、バスケットのベースの３つの張力緩和穴を挿通させる。バスケットと起爆装置との間のＳＴの長さを調整する（２１３）。ＳＴの長さは、使用者の要求／特定の作業に従う。
【０１１４】
バスケット蓋の中心穴にＳＴを通す（２１４）。ＳＴＡキャップ端からチューブを通して起爆装置を挿入して（２１５）、ＳＴＡの電気式起爆装置を設置して組み立てる。スピットファイアを組み立てて設置する（２１６）。ＳＴ内部のスペア端部をＳＴＡハウジンググランドを通して供給されるスプールに入れる（２１７）。スピットファイアを介してＳＴを挿入して二重に戻す（２１８）。ロッキングコードをロッキングチャネルに挿入して（２１９）、ＳＴＡハウジングをＳＴＡキャップに組み立てて固定することによって、ＳＴＡの組み立てを完了する。電気式起爆ワイヤを受信機ハウジングに供給し（２２０）、受信機ハウジングのベースにＳＴＡプレートを組み付ける（２２１）。
【０１１５】
ＢＩＴテストが完了したら（２２２）、電気式起爆装置のワイヤを受電端子に接続する。
【０１１６】
受信機ハウジングの上にフロートリングを、向きを合わせて組み付ける（２２３）。受信機のＯリングに損傷がないか確認する（２２４）。受信機ハウジングに蓋を、向き合わせて組み付け、固定する（２２５）。
【０１１７】
エジェクタアームが自由に動くがエジェクタアームを閉位置に保持する張力を保持するように、保持ランヤードを受信機ハウジングに組み付ける（２２６）。バスケット蓋の穴を通してＳＴＡを供給する（２２７）。受信機ハウジング脚部は、バスケット蓋内のそれぞれの穴によって向き合わせをして、位置決めする（２２８）。次に、受信機ハウジングをバスケット上に押し下げる（２２９）。最後に、ケーブルタイをスプールから取り外し（２３０）、最終的なトップダウンチェックが完了する。浮揚装置が直ちに展開可能となる準備が整う（２３１）。
【０１１８】
動作シナリオをサポートするために、設置に関わる一般的な運用手順は、図１３に記載され１個のＳＴ受信機の設定に従う。効率的な設置を保証するために浮揚装置を設置する前に、事前設置を行うことが推奨される。全受信機が対応する動作モードに設定され、バスケット挿入用に衝撃チューブの少なくとも１のスプールが使用可能であることが推奨される。受信機を受信機ハウジングに取り付ける際、主装填に必要な接続が内部で行われ、必要に応じて分離機能を動作させるために接続が行われる。
【０１１９】
最初に、浮揚装置の事前検査ドリルを行う（３００）。検査に失敗した場合、装置を隔離する（３０１）。検査ドリルに合格した場合と、時間遅延起爆または遠隔起爆モード用に１個の衝撃チューブ（ＳＴ）受信機を準備する（３０２）。受信機ハウジングの蓋を取り外す（３０３）。受信機に適した上下ブラケットを選択し（３０４）、受信機ハウジング内にベースブラケットを固定する（３０５）。主装填に使用される１個のＳＴ受信機を受信機位置２に挿入する（３０６）。受信機をしっかりと定位置にクランプするように組み立てる（３０７）。
【０１２０】
スプールをバスケット内に挿入する（３０８）。予め取り付けられた起爆装置で端部をつかみ、バスケットのベースの３つの張力緩和穴を挿通させる。バスケットと起爆装置との間のＳＴの長さを調整する（３０９）。ＳＴの長さは、使用者の要求／特定の作業に応じたものとする。
【０１２１】
バスケット蓋の中央の穴にＳＴを通して、ロックコードを使用して蓋をバスケットに組み立てて固定し、ＳＴが中央の蓋の穴に引っ張られるようにする（３１０）。受信機ハウジングのグランドロックホイールが開放されていることを確認し、グランドロックホイールとグランドプレートを介して受信機ハウジングに供給されるスプールの内側のＳＴのスペアエンドを取る（３１１）。
【０１２２】
主装填器に挿入する前に、ドライ及びスクエアカットを確実にするために、製造元の推奨事項に従ってＳＴのランニングエンドをトリミングする。ＳＴをグランドロッキングホイールを介して受信機ハウジングに挿入する。外部プッシュボタンを押して第２の受信機をオンにする。 ＢＩＴテストが完了したら、ＳＴを第２の受信機に挿入する（３１２）。
【０１２３】
フロートリングの向きを決め、受信機ハウジングに組み付ける（３１３）。受信機のＯリングに損傷がないか確認する（３１４）。受信機ハウジングに蓋を、向きを合わせて組み付け、固定する（３１５）。
【０１２４】
受信機ハウジングベース上にグランドロックホイールを閉じて水密封止する（３１６）。エジェクタアームは自由に動くがエジェクタアームを閉位置に保持する張力を保持するように、アセンブリ用の保持ランヤードを受信機ハウジングに組み付ける（３１７）。ＳＴをＳＴ保持器に固定し、余分なＳＴをバスケットのスプールに送る（３１８）。
【０１２５】
受信機ハウジング脚部は、バスケット蓋内のそれぞれの穴を用いて向き合わせして、位置決めする（３１９）。受信機ハウジングをバスケット上に押し下げる（３２０）。最後に、ケーブルタイをスプールから取り外し（３２１）、最終的なトップダウンチェックが完了する。浮揚装置が直ちに展開可能となる準備が整う（３２２）。
【０１２６】
動作シナリオをサポートするために、設置に関わる一般的な運用手順は図１４に記載された２個の電気式受信機の設定に従う。効率的な設置を保証するために浮揚装置を設置する前に、事前設置を行うことが推奨される。全受信機が対応する動作モードに設定され、バスケット挿入用に衝撃チューブの少なくとも１のスプールが使用可能であることが推奨される。受信機を受信機ハウジングに取り付ける際、主装填に必要な接続が内部で行われ、必要に応じて分離機能を動作させるために接続が行われる。
【０１２７】
まず、浮揚装置の事前検査ドリルを行う（４００）。検査に失敗した場合、装置を隔離する（４０１）。検査ドリルに合格した場合、２個の電気式受信機を準備する（４０２）、一方は時間遅延起爆モード用であり、他方は遠隔起爆モード用である。受信機ハウジングの蓋を取り外す（４０３）。受信機に適した上下ブラケットを選択し（４０４）、受信機ハウジング内にベースブラケットを固定する（４０５）。フロート分離用に使用される第１の受信機スイッチオンして挿入する（４０６）。主装填用に使用される第２の受信機を挿入する（４０７）。上部ブラケットを、受信機を適所にしっかりとクランプするように組み付ける（４０８）。電気装置を準備し（４０９）、分離チャンバに挿入する（４１０）。ＢＩＴ試験が完了した後、電気装置ケーブルを第１の受信機に挿入する（４１１）。
【０１２８】
バスケット蓋の中心穴にＳＴを通す（４１４）。チューブを通してＳＴＡキャップ端部から起爆装置を挿入して（４１５）、ＳＴＡ内に電気式起爆装置を設置し、組み立てる。スピットファイアを組み立てて設置する（４１６）。ＳＴＡハウジンググランドを通して供給されるスプールにＳＴの余分な端部を内部に送る（４１７）。スピットファイアを介してＳＴを挿入して二重に戻す（４１８）。ロッキングコードをロッキングチャネルに挿入することによって（４１９）、ＳＴＡハウジングをＳＴＡキャップに組み立てて固定してＳＴＡの組み立てを完成させる。電気式起爆ワイヤを受信機ハウジングに送り（４２０）、受信機ハウジングのベースにＳＴＡプレートを組み付ける（４２１）。
【０１２９】
スプールをバスケットに挿入する（４１２）。予め取り付けられた起爆装置で端部をつかみ、バスケットのベースの３つの張力緩和穴を挿通させる。バスケットと起爆装置との間のＳＴの長さの調整する（４１３）。ＳＴの長さは、使用者の要求／特定の作業に従う。
【０１３０】
ＢＩＴテストが完了したら、電気式起爆ワイヤを電気式受信機の端子に接続する（４２２）。
【０１３１】
受信機ハウジングの上にフロートリングを、向きを合わせて組み付ける（４２３）。受信機のＯリングに損傷がないか確認する（４２４）。受信機ハウジングに蓋を、向きを合わせて組み付け、固定する（４２５）。
【０１３２】
エジェクタアームは自由に動くがエジェクタアームを閉位置に保持する張力を保持するように、保持ランヤードを受信機ハウジングに組み付ける（４２６）。バスケット蓋の穴を通してＳＴＡを供給する（４２７）。受信機ハウジング脚部は、バスケット蓋にそれぞれの穴を用いて向き合わせをして、位置決めする（４２８）。受信機ハウジングをバスケット上に押し下げる（４２９）。最後に、ケーブルタイをスプールから取り外し（４３０）、最終的なトップダウンチェックが完了する。浮揚装置が直ちに展開可能となる準備が整う（４３１）。
【０１３３】
動作シナリオをサポートするために、設置に含まれる一般的な運用手順は、図１５に記載された１個の電気式受信機の設定に従う。効率的な設置を保証するために浮揚装置を設置する前に、事前設置を行うことが推奨される。全受信機が対応する動作モードに設定され、バスケット挿入用に衝撃チューブの少なくとも１のスプールが使用可能であることが推奨される。受信機を受信機ハウジングに取り付ける際、主装填に必要な接続が内部で行われ、必要に応じて分離機能を動作させるために接続が行われる。
【０１３４】
最初に、浮揚装置の事前検査ドリルを行う（５００）。検査に失敗した場合、装置を隔離する（５０１）。検査に合格した場合、２個の電気式受信機を準備する（５０２）。一方は時間遅延起爆モード用であり、他方は遠隔起爆モード用である。受信機ハウジングの蓋を取り外す（５０３）。受信機に適した上下ブラケットを選択し（５０４）、受信機ハウジング内にベースブラケットを固定する（５０５）。主装填用に使用される電気式受信機を受信機位置２に挿入する（５０６）。受信機をしっかりと定位置にクランプするように組み立てる。
【０１３５】
スプールをバスケットに挿入する（５０８）。予め取り付けられた起爆装置で端部をつかみ、バスケットのベースの３つの張力緩和穴を挿通させる。バスケットと起爆装置との間のＳＴの長さを調整する（５０９）。ＳＴの長さは、使用者の要求／特定の作業に応じたものとする。
【０１３６】
バスケット蓋の中心穴にＳＴを通す（５１０）。ＳＴＡのキャップ端からチューブを通して起爆装置を挿入して（５１１）、ＳＴＡの電気式起爆装置を設置して組み立てる。スピットファイアを組み立てて設置する（５１２）。ＳＴＡ筐体グランドを通って供給されるスプールにＳＴ内部のスペア端をつける（５１３）。スピットファイアを通してＳＴを挿入して二重に戻す（５１４）。ロックコードをロックチャネルに挿入し（５１５）、ＳＴＡハウジングをＳＴＡキャップに組み立てて固定して、電気式起爆ワイヤを受信機ハウジングに送り（５１６）、受信機ハウジングのベースにＳＴＡプレートを組み付ける（５１７）。
【０１３７】
ＢＩＴテストが完了したら、電気式起爆ワイヤを受電端子に接続する（５１８）。
【０１３８】
受信機ハウジングの上にフロートリングを、向きを合わせて組み付ける（５１９）。受信機のＯリングに損傷がないか確認する（５２０）。受信機ハウジングに蓋を、向きを合わせて組み付け、固定する（５２１）。
【０１３９】
エジェクタアームは自由に動くがエジェクタアームを閉位置に保持する張力を保持するように、保持ランヤードを受信機ハウジングに組み付ける（５２２）。バスケット蓋の穴を通してＳＴＡを供給する（５２３）。受信機ハウジング脚部は、バスケット蓋内のそれぞれの穴を用いて向き合わせをして、位置決めする（５２４）。次に、受信機ハウジングをバスケット上に押し下げる（５１５）。最後に、ケーブルタイをスプールから取り外し（５２６）、最終的なトップダウンチェックが完了する。浮揚装置が直ちに展開可能となる準備が整う（５２７）。
【０１４０】
受信機ハウジングは、ブラケットキットを使用して内部に固定された複数の受信機を保持することができる。浮揚装置内で使用される受信機の選択は、実行される操作に従う。浮揚装置は、例えば図１〜図４に示すように、４つの主要な操作能力を完了するために使用することができる。
【０１４１】
バスケットと受信機ハウジングの分離は２つの方法で行うことができる。
【０１４２】
１．潜水士による手動。工具を用いて保持ランヤードを切断する。受信機ハウジング内に組み付けられる受信機は１個のみである。
【０１４３】
２．時間遅延を使用してマウントされた切断ブレードを起爆する。切断ブレードは、ＩＳＦＥ（電気式）または衝撃チューブを使用して起爆される。受信機ハウジングには２個の受信機が組み付けられる。
【０１４４】
分離のために、時間遅延は、第１の受信機に設定され、非電気式または電気式爆発性媒体を起爆させるために使用される。非電気式または電気式爆発性媒体の起爆によって、空気が分離チャンバ内で膨張して、ブレードアセンブリが強制的に押し下げられる。この動作によって、ストラップを切断する犠牲チューブのナイロン線が切断される。ランヤードバスケットのエジェクタアームは、発射ばねの力とバスケットの蓋のラグの角度によって強制的に開放される。バスケットが標的に繋がれた状態で、浮力のある受信機ハウジングが表面に浮いて、使用者が遠隔起爆を完遂することが可能となる。
【０１４５】
海洋浮揚装置は、高価なＵＵＶ戦闘の必要性を防ぐ武器システムを起爆することができ、ＵＵＶ上の武器システムの一部として展開された場合、ＵＵＶを再利用することができる。海洋浮揚装置は、遠隔指令で兵器システムまたは爆発物の爆薬を、秘密裏または公然と単一または複数の配備として起爆させることができる。
【０１４６】
海洋浮揚装置は、海洋環境の脅威が増大する中での運用のための陸上ＲＦＤの運用能力を強化し、関連する海洋利用者グループによる需要を強化することが求められている。これにより、いくつかの運用機能を満たす使用者グループに一の解決手段がもたらされる。
【０１４７】
海洋浮揚装置は、起爆装置／起爆爆発物を起爆する際の安全性及び信頼性を高めることが求められる。この文脈において安全とは、操作中の海洋浮揚装置の設置／展開中において起爆装置が意図せずに起爆しないように確実化することを意味する。意図しない起爆は壊滅的となりえる。
【０１４８】
海洋浮揚装置より、非常に浅い水域、浅い水域及び深い水域における操作を使用者が行うことができる。
【０１４９】
時間遅延を使用した短距離や長距離離れた水面起爆、及び水面下起爆を行う必要がある。海洋浮揚装置は、離れた場所から遠隔で起爆できるように、水面展開のために設置及び展開が可能である。海洋浮揚装置は、時間遅延を利用して地表面に自己解放するように、水面下展開用に設置して配置することができる。
【０１５０】
海洋浮揚装置は、上記の必要な操作を行うために既存の受信機の組を保持することができる（図１〜図４参照）。
【０１５１】
海洋浮揚装置は、内陸部の河川水域の下または上に隠れているか、または隠れた状態で配置することができる。 解決方法は、機敏で、迅速に設置し、基本的な展開が可能でなければなりない。
【０１５２】
海洋浮揚装置により、潜水士の浮力に問題を生じさせることなく、既存の展開戦略を変更することなく、水中に展開することが可能となる。
【０１５３】
海洋浮揚装置は、操作に合わせて単一または複数のフロートを配備することができ、１の制御下で個別または同時に遠隔起爆がなされる。
【０１５４】
海洋浮揚装置は、潜水士または自律装置によって水中に展開することができる。
【０１５５】
海洋浮揚装置は、ボート、潜水士または自律装置によって水上に展開することができる。
【０１５６】
海洋浮揚装置は、安全性及び環境に影響を与えず、浸水なく必要な深さで利用できる材料を用いている。
【０１５７】
海洋浮揚装置は、安静時から展開の開始までが迅速に設置される。
【０１５８】
海洋浮揚装置の技術データ
【０１５９】
【表１】
0006653019.tif 000002
【０１６０】
【表２】
0006653019.tif 000003
【０１６１】
【表３】
0006653019.tif 000004
【０１６２】
【表４】
0006653019.tif 000005
【０１６３】
【表５】
0006653019.tif 000006
【０１６４】
本発明の利点の要約：
・同じ遠隔発火装置（ＲＦＤ）を使用した複数の機能。
・４つの展開モード−１つに比べて柔軟なシステム。
・ときには秘密裏に、ときには公然と。
・再使用可能または犠牲。
・電気式または非電気式の起爆。
・時間遅延起爆または遠隔起爆のオプション。
・標的に固定するための代替接続オプション。
・水中展開のために中立的に浮揚する。
・秘密の展開と操作。
・低コスト−他のオプションと比較して。
・素早い設置時間。
・水線上または水線下に簡易に配置。
・重要な深さ能力。
・オペレータと爆薬の間に物理的なリンクが存在しない。
・６０ｍまで浸漬できる。
・手作業または自立的に積み込み、輸送、配備のためのスリムラインフォームファクタ。
【０１６５】
バリエーション
当然のことながら、上記は本発明の例示的な実施形態を示すものであり、当業者によって明らかである、これらに対する変更及び変形は、添付の特許請求の範囲に記載されている限りにおける広い範囲及び範囲内にあるとみなされる範囲が本発明の範囲である。
【符号の説明】
【０１６６】
ＭＦＤ…海洋浮揚装置、  ＲＦＤ…無線発火装置、  Ｍ…機雷、  ＡＰ…アンカーポイント、  ＳＤ…海深、  ＴＣ…タイマーカウントダウン、  １…押しボタン及び作動ステム、  ２…蓋、  ３…盲栓、  ４…アンテナ開口部、  ５…上部ブラケット１、  ６…スペーサー、  ７…上部ブラケット２、  ８…底部ブラケット１、  ９…スペーサー、  １０…ブラケット２窪み、  １１…表示ウィンドウ（反対側の２番目の窓）、  １２…押しボタン（反対側の２番目の押しボタン）、  １３…受信機ハウジング、  １４…固定空隙、  １５…発火ばね、  １６…グランドプレート（非電気式）、  １７…グランドロックホイール（非電気式）、  １８…保持ラグ、  １９…バスケット蓋、  ２０…ロッキングコードチャネル、  ２１…底部ブラケット２、  ２２…ロッキングコードチャネル。  ２３…エジェクタアーム保持ピン、  ２４…ブレードアセンブリ、  ２５…保持ランヤード、  ２６…バスケットハウジング、  ２７…シャックル、  ２８…バスケットアセンブリ、  ２９…アンテナアセンブリ、  ３０…バスケット蓋の受信機ハウジング向き合わせ穴、  ３１…バスケットハウジング窪み、  ３２…ＳＴＡハウジング、  ３３…チューブ、  ３４…ＳＴＡプレート（電気式）、  ３５…ＳＴＡキャップ、  ３６…スピットファイア、  ３７…窪み（３か所）、  ３８…ロック栓、  ３９…ハンドル、  ４０…エンドプレート、  ４１…折り畳み可能なスプール軸、  ４２…保持穴、  ４３…クランプ、  ４４…フロートリング、４５…ＳＴ保持穴、  ４６…バスケットハウジング基部。
【図１】
0006653019.tif 000007
【図２】
0006653019.tif 000008
【図３】
0006653019.tif 000009
【図４】
0006653019.tif 000010
【図５】
0006653019.tif 000011
【図５Ａ】
0006653019.tif 000012
【図６】
0006653019.tif 000013
【図７】
0006653019.tif 000014
【図７Ａ】
0006653019.tif 000015
【図８】
0006653019.tif 000016
【図９】
0006653019.tif 000017
【図１０】
0006653019.tif 000018
【図１１】
0006653019.tif 000019
【図１２】
0006653019.tif 000020
【図１３】
0006653019.tif 000021
【図１４】
0006653019.tif 000022
【図１５】
0006653019.tif 000023